【手続補正書】
【提出日】平成18年11月28日(2006.11.28)
【手続補正１】
【補正対象書類名】明細書
【補正対象項目名】発明の名称
【補正方法】変更
【補正の内容】
【発明の名称】画像処理プログラム提供サーバ、クライアント側画像処理装置、画像処理プログラム提供プログラムおよび画像処理プログラム実行プログラム
【手続補正２】
【補正対象書類名】明細書
【補正対象項目名】特許請求の範囲
【補正方法】変更
【補正の内容】
【特許請求の範囲】
【請求項１】  クライアント側画像処理装置から、ユーザを識別するユーザＩＤを受取るユーザＩＤ受領手段と、
前記クライアント側画像処理装置から、ユーザが指定した画像処理機能を有する画像処理プログラムを特定する情報を取得する画像処理プログラム特定情報取得手段と、
前記ユーザＩＤと前記画像処理プログラム特定情報とを関連付けて管理する管理手段と、
前記クライアント側画像処理装置からのユーザＩＤを伴う画像処理プログラムの要求に応じて、当該ユーザＩＤに対応する画像処理プログラム特定情報を含むメニュー情報を生成し、当該メニュー情報と、当該メニュー情報に含まれる画像処理プログラム特定情報に対応する画像処理プログラムを前記クライアント側画像処理装置に送信する送信手段と、
を備えることを特徴とする画像処理プログラム提供サーバ。
【請求項２】  前記管理手段において管理されている前記画像処理プログラム特定情報の検索、変更、追加、削除のうち少なくとも一つを行う画像処理プログラム特定情報編集手段を有することを特徴とする請求項１に記載の画像処理プログラム提供サーバ。
【請求項３】  前記送信手段は、前記クライアント側画像処理装置に対し、画像処理プログラムの実行許可をユーザに求める注意情報を送信し、前記クライアント側画像処理装置から、当該画像処理プログラムの実行許可を受取った場合のみ当該画像処理プログラムを前記クライアント側画像処理装置に送信することを特徴とする請求項１記載の画像処理プログラム提供サーバ。
【請求項４】  画像処理プログラム提供サーバに対して、ユーザを識別するユーザＩＤを送信するユーザＩＤ送信手段と、
前記画像処理プログラム提供サーバに対して、ユーザが指定した画像処理機能を有する画像処理プログラムを特定する情報を送信する画像処理プログラム特定情報送信手段と、
前記画像処理プログラム提供サーバから、ユーザからの要求に応じた、ユーザＩＤに関連付けられた画像処理プログラム特定情報を含むメニュー情報と、当該メニュー情報に含まれる画像処理プログラム特定情報に対応する画像処理プログラムを受取るプログラム受取り手段と、
を備え、ユーザにより選択された画像処理プログラムを実行することを特徴とするクライアント側画像処理装置。
【請求項５】  画像処理プログラム提供サーバに、
クライアント側画像処理装置から、ユーザを識別するユーザＩＤを受取るユーザＩＤ受領処理手順と、
前記クライアント側画像処理装置から、ユーザが指定した画像処理機能を有する画像処理プログラムを特定する情報を取得する画像処理プログラム特定情報取得処理手順と、
前記ユーザＩＤと前記画像処理プログラム特定情報とを関連付けて管理する管理処理手順と、
前記クライアント側画像処理装置からのユーザＩＤを伴う画像処理プログラムの要求に応じて、当該ユーザＩＤに対応する画像処理プログラム特定情報を含むメニュー情報を生成し、当該メニュー情報と、当該メニュー情報に含まれる画像処理プログラム特定情報に対応する画像処理プログラムを前記クライアント側画像処理装置に送信する送信処理手順と、
を実行させることを特徴とする画像処理プログラム提供プログラム。
【請求項６】  クライアント側画像処理装置に、
画像処理プログラム提供サーバに対して、ユーザを識別するユーザＩＤを送信するユーザＩＤ送信処理手順と、
前記画像処理プログラム提供サーバに対して、ユーザが指定した画像処理機能を有する画像処理プログラムを特定する情報を送信する画像処理プログラム特定情報送信処理手順と、
前記画像処理プログラム提供サーバから、ユーザからの要求に応じた、ユーザＩＤに関連付けられた画像処理プログラム特定情報を含むメニュー情報と、当該メニュー情報に含まれる画像処理プログラム特定情報に対応する画像処理プログラムを受取る受取り処理手順と、
ユーザにより選択された画像処理プログラムを実行するプログラム実行処理手順と、
を実行させることを特徴とする画像処理プログラム実行プログラム。
【手続補正３】
【補正対象書類名】明細書
【補正対象項目名】０００７
【補正方法】変更
【補正の内容】
【０００７】
【課題を解決するための手段】
上記目的を達成するため、本発明に係る画像処理プログラム提供サーバは、クライアント側画像処理装置から、ユーザを識別するユーザＩＤを受取るユーザＩＤ受領手段と、前記クライアント側画像処理装置から、ユーザが指定した画像処理機能を有する画像処理プログラムを特定する情報を取得する画像処理プログラム特定情報取得手段と、前記ユーザＩＤと前記画像処理プログラム特定情報とを関連付けて管理する管理手段と、前記クライアント側画像処理装置からのユーザＩＤを伴う画像処理プログラムの要求に応じて、当該ユーザＩＤに対応する画像処理プログラム特定情報を含むメニュー情報を生成し、当該メニュー情報と、当該メニュー情報に含まれる画像処理プログラム特定情報に対応する画像処理プログラムを前記クライアント側画像処理装置に送信する送信手段とを備えることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
また、本発明に係る画像処理プログラム提供サーバにおいて、前記管理手段において管理されている前記画像処理プログラム特定情報の検索、変更、追加、削除のうち少なくとも一つを行う画像処理プログラム特定情報編集手段を有することが好ましい。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
また、本発明に係る画像処理プログラム提供サーバにおいて、前記送信手段は、前記クライアント側画像処理装置に対し、画像処理プログラムの実行許可をユーザに求める注意情報を送信し、クライアント側画像処理装置から、当該画像処理プログラムの実行許可を受取った場合のみ当該画像処理プログラムを前記クライアント側画像処理装置に送信することが好ましい。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
また、本発明に係るクライアント側画像処理装置は、画像処理プログラム提供サーバに対して、ユーザを識別するユーザＩＤを送信するユーザＩＤ送信手段と、前記画像処理プログラム提供サーバに対して、ユーザが指定した画像処理機能を有する画像処理プログラムを特定する情報を送信する画像処理プログラム特定情報送信手段と、前記画像処理プログラム提供サーバから、ユーザからの要求に応じた、ユーザＩＤに関連付けられた画像処理プログラム特定情報を含むメニュー情報と、当該メニュー情報に含まれる画像処理プログラム特定情報に対応する画像処理プログラムを受取るプログラム受取り手段と、を備え、ユーザにより選択された画像処理プログラムを実行することを特徴とする。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
また、本発明に係る画像処理プログラム提供プログラムは、画像処理プログラム提供サーバに、クライアント側画像処理装置から、ユーザを識別するユーザＩＤを受取るユーザＩＤ受領処理手順と、クライアント側画像処理装置から、ユーザが指定した画像処理機能を有する画像処理プログラムを特定する情報を取得する画像処理プログラム特定情報取得処理手順と、前記ユーザＩＤと前記画像処理プログラム特定情報とを関連付けて管理する管理処理手順と、前記クライアント側画像処理装置からのユーザＩＤを伴う画像処理プログラムの要求に応じて、当該ユーザＩＤに対応する画像処理プログラム特定情報を含むメニュー情報を生成し、当該メニューと、当該メニュー情報に含まれる画像処理プログラム特定情報に対応する画像処理プログラムを前記クライアント側画像処理装置に送信する送信処理手順とを実行させることを特徴とする。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】変更
【補正の内容】
【００２０】
また、本発明に係る画像処理プログラム実行プログラムは、クライアント側画像処理装置に、画像処理プログラム提供サーバに対して、ユーザを識別するユーザＩＤを送信するユーザＩＤ送信処理手順と、前記画像処理プログラム提供サーバに対して、ユーザが指定した画像処理機能を有する画像処理プログラムを特定する情報を送信する画像処理プログラム特定情報送信処理手順と、前記画像処理プログラム提供サーバから、ユーザからの要求に応じた、ユーザＩＤに関連付けられた画像処理プログラム特定情報を含むメニュー情報と、当該メニュー情報に含まれる画像処理プログラム特定情報に対応する画像処理プログラムを受取る受取り処理手順と、ユーザにより選択された画像処理プログラムを実行するプログラム実行処理手順と、を実行させることを特徴とする。
【手続補正１７】
【補正対象書類名】明細書
【補正対象項目名】００２１
【補正方法】削除
【補正の内容】